(57)【要約】      （修正有）【課題】抗菌と消臭の効果を有するランプユニットを提供する。【解決手段】ランプユニットは、ランプと、外カバーと、抗菌コーティングとを含む。外カバー１２０は、少なくとも一部のランプを覆う。抗菌コーティング１３０は、外カバーの上にコーティングされる。抗菌コーティングをランプに直接コーティングしないため、様々なランプに応用することができる。また、ランプが消耗した時には、ランプを交換するだけでよく、抗菌コーティングを有する外カバーを交換する必要がないため、交換コストを節約する効果も得られる。【選択図】図３
0003188344.tif 000002
【実用新案登録請求の範囲】
【請求項１】
ランプと、
少なくとも一部の前記ランプを覆う外カバーと、
前記外カバーの上にコーティングされた抗菌コーティングと
を含むランプユニット。
【請求項２】
前記抗菌コーティングが、ナノコーティングである請求項１に記載のランプユニット。
【請求項３】
前記抗菌コーティングが、光触媒コーティングである請求項１に記載のランプユニット。
【請求項４】
前記ランプが、発光ダイオードランプ、熱陰極蛍光ランプ、冷陰極蛍光ランプまたは無電極ランプである請求項１に記載のランプユニット。
【請求項５】
前記外カバーの材料が、光透過材料を含む請求項１に記載のランプユニット。
【請求項６】
前記外カバーの材料が、ガラスまたはプラスチックを含む請求項１に記載のランプユニット。
【請求項７】
前記ランプが、座体と、前記座体に固定された光源とを含み、前記外カバーが、前記座体に組み立てられ、且つ前記光源を覆う請求項１に記載のランプユニット。
【請求項８】
前記外カバーが、相対する外表面と内表面を有し、前記抗菌コーティングが、前記外表面にコーティングされた請求項１に記載のランプユニット。
【考案の詳細な説明】
【技術分野】
【０００１】
この考案は、ランプユニットに関し、特に、外カバーを有するランプユニットに関する。
【背景技術】
【０００２】
公衆の環境、特に、学校、病院、駅、政府機関等の室内の公共の場所にはたくさんの人々が集まるため、公共の場所の空気は細菌が充満して、ばい菌が広がりやすく、ひどい時には保菌者のたまり場となってしまう。
【考案の概要】
【考案が解決しようとする課題】
【０００３】
現在の解決法のほとんどは、受け身的な定期消毒や清掃、あるいは、エアコンシステムに抗菌フィルターを設置して抗菌を行うことである。しかしながら、上記の方法は、人件費や時間を浪費し、且つ効果が持続しないだけでなく、消毒が不完全であるために公共の場所が不規則な病気とウイルスの感染媒体になる可能性もある。
【０００４】
そこで、この考案の目的は、抗菌と消臭の効果を有するランプユニットを提供することにある。
【課題を解決するための手段】
【０００５】
この考案のランプユニットは、ランプと、外カバーと、抗菌コーティングとを含む。外カバーは、少なくとも一部のランプを覆う。抗菌コーティングは、外カバーの上にコーティングされる。
【０００６】
この考案の１つの実施形態中、上述した抗菌コーティングは、ナノコーティングである。
【０００７】
この考案の１つの実施形態中、上述した抗菌コーティングは、光触媒コーティングである。
【０００８】
この考案の１つの実施形態中、上述した抗菌コーティングの材料は、二酸化チタン（ＴｉＯ2）、酸化亜鉛（ＺｎＯ）、銀（Ａｇ）または酸化銀（Ａｇ2Ｏ）を含む。
【０００９】
この考案の１つの実施形態中、上述したランプは、発光ダイオード（light emitting diode, LED）ランプ、熱陰極蛍光ランプ（hot cathode fluorescent lamp, HCFL）、冷陰極蛍光ランプ（cold cathode fluorescent lamp, CCFL）または無電極ランプ（electrodeless lamp）である。
【００１０】
この考案の１つの実施形態中、上述した外カバーの材料は、光透過材料を含む。
【００１１】
この考案の１つの実施形態中、上述した外カバーの材料は、ガラスまたはプラスチックを含む。
【００１２】
この考案の１つの実施形態中、上述したランプは、座体と、座体に固定された光源とを含み、外カバーは、座体に組み立てられ、且つ光源を覆う。
【００１３】
この考案の１つの実施形態中、上述した外カバーは、相対する外表面と内表面を有し、抗菌コーティングが外表面にコーティングされる。
【考案の効果】
【００１４】
以上のように、この考案は、抗菌コーティングを外カバーの上にコーティングして、外カバーでランプを覆い、抗菌コーティングを有するランプユニットを構成する。これにより、このランプユニットを設置した場所では、抗菌コーティングを介して空気中のばい菌の数を減らすことができるとともに、消臭の効果を得ることもできる。この考案は、抗菌コーティングを外カバーの上にコーティングして、抗菌コーティングをランプに直接コーティングしないため、抗菌コーティングを有する外カバーを先に製造してから、外カバーを様々なランプに応用することができ、汎用性を上げることもできる。また、ランプが消耗した時には、ランプを交換するだけでよく、抗菌コーティングを有する外カバーを交換する必要がないため、ランプユニットの交換コストを節約する効果も得られる。
【００１５】
この考案の上記および他の目的、特徴、および利点をより分かり易くするため、図面と併せた幾つかの実施形態を以下に説明する
【図面の簡単な説明】
【００１６】
【図１】この考案の１つの実施形態に係るランプユニットの立体図である。
【図２】図１の外カバーの断面図である。
【図３】図２の外カバーのエリアＡ１の拡大図である。
【図４】この考案の別の実施形態に係るランプユニットの立体図である。
【図５】図４の外カバーのエリアＡ２の拡大図である。
【図６】この考案の別の実施形態に係るランプユニットの概略図である。
【図７】図６の外カバーのエリアＡ３の拡大図である。
【考案を実施するための形態】
【００１７】
図１は、この考案の１つの実施形態に係るランプユニットの立体図である。図２は、図１の外カバーの断面図である。図１および図２を参照すると、本実施形態のランプユニット１００は、ランプ１１０と、外カバー１２０とを含む。外カバー１２０は、少なくとも１つのランプ１１０を覆う（外カバー１２０がランプ１１０全体を覆っている状態を図示）。外カバー１２０の材料は、例えば、ガラスまたはプラスチック等の光透過材料であり、ランプ１１０から放射された光は、外カバー１２０を通過して外界に到達することができる。本実施形態において、ランプ１１０は、例えば、発光ダイオード（light emitting diode, LED）ランプ、熱陰極蛍光ランプ（hot cathode fluorescent lamp, HCFL）、冷陰極蛍光ランプ（cold cathode fluorescent lamp, CCFL）、無電極ランプ（electrodeless lamp）またはその他の種類のランプであるが、この考案はこれらに限定されない。
【００１８】
図３は、図２の外カバーのエリアＡ１の拡大図である。図３を参照すると、本実施形態のランプユニット１００は、さらに、抗菌コーティング１３０を含む。外カバー１２０は、相対する外表面１２０ａおよび内表面１２０ｂを有し、抗菌コーティング１３０は、外カバー１２０の外表面１２０ａにコーティングされる。詳しく説明すると、抗菌コーティング１３０は、例えば、光触媒コーティングであり、その材料は、二酸化チタン（ＴｉＯ2）および酸化亜鉛（ＺｎＯ）等の光触媒材料を含む。ランプ１１０が放射した光が抗菌コーティング１３０に照射した時、抗菌コーティング１３０は、光触媒反応によりヒドロキシルラジカル（hydroxyl radical, OH）を生成し、環境中のばい菌を除去する。別の実施形態において、抗菌コーティング１３０の材料は、ばい菌を除去する効果を有する銀（Ａｇ）または酸化銀（Ａｇ2Ｏ）等の材料を含んでもよい。また、抗菌コーティング１３０は、例えば、抗菌コーティング１３０と環境中の空気の接触面積をより広くして、ばい菌を除去する効果を上げることのできるナノコーティング（例えば、ナノ二酸化チタンコーティング、ナノ二酸化亜鉛コーティング、ナノ銀コーティングまたはナノ酸化銀コーティング等）である。
【００１９】
様々な公共の場所（例えば、学校、病院、駅または政府機関等）では、一般的に、ランプを設置して照明を提供する。本実施形態は、抗菌コーティング１３０を外カバー１２０の上にコーティングして、外カバー１２０でランプ１１０を覆い、抗菌コーティング１３０を有するランプユニット１００を構成する。これにより、ランプユニット１１０を設置した公共の場所では、抗菌コーティング１３０を介して空気中のばい菌の数を減らすことができるとともに、消臭の効果を得ることもできる。本実施形態は、抗菌コーティング１３０を外カバー１２０の上にコーティングして、抗菌コーティング１３０をランプに直接コーティングしないため、抗菌コーティング１３０を有する外カバー１２０を先に製造してから、外カバー１２０を各種ランプに応用することができ、汎用性を上げることもできる。また、ランプが消耗した時には、ランプを交換するだけでよく、抗菌コーティング１３０を有する外カバー１２０を交換する必要がないため、ランプユニットの交換コストを節約する効果も得られる。
【００２０】
図４は、この考案の別の実施形態に係るランプユニットの立体図である。図５は、図４の外カバーのエリアＡ２の拡大図である。図４および図５を参照すると、本実施形態のランプユニット２００は、ランプ２１０と、外カバー２２０と、抗菌コーティング２３０とを含む。図１から図３に示した実施形態に類似して、図４および図５に示すランプユニット２００は、外カバー２２０がランプ２１０を覆い、且つ抗菌コーティング２３０が外カバー２２０の外表面２２０ａにコーティングされるため、ランプユニット２００は、抗菌コーティング２３０を介して環境中のばい菌を除去することができる。本実施形態のランプユニット２００と図１から図３に示したランプユニット１００の相違点は、外カバー２２０が矩形をなし、且つ複数のランプ２１０を覆っていることである（４個を図示）。別の実施形態において、外カバーは、必要に応じてその他の適切な形状に設計してもよく、ランプの数も、必要に応じて変更可能である。また、図１から図３に示した実施形態において、抗菌コーティング１３０は、例えば、外カバー１２０の全ての外表面にコーティングされるが、本実施形態の抗菌コーティング２３０は、例えば、外カバー１２０のうちの一側の外表面にのみコーティングされる（外カバー１２０の上表面を図示）。
【００２１】
図６は、この考案の別の実施形態に係るランプユニットの概略図である。図７は、図６の外カバーのエリアＡ３の拡大図である。図をさらに明確にするため、図６中の外カバー３２０は、断面の形式で示してある。図６および図７を参照すると、本実施形態のランプユニット３００は、ランプ３１０と、外カバー３２０と、抗菌コーティング３３０とを含む。図１から図３に示した実施形態に類似して、図６および図７に示すランプユニット３００は、外カバー３２０がランプ３１０を覆い、且つ抗菌コーティング３３０が外カバー３２０の外表面３２０ａにコーティングされるため、ランプユニット３００は、抗菌コーティング３３０を介して環境中のばい菌を除去することができる。本実施形態のランプユニット３００と図１から図３に示したランプユニット１００の相違点は、外カバー３１０が座体３１２、および座体３１２に固定された光源３１４を含み、外カバー３２０が座体３１２に組み立てられ、且つ光源３１４を覆うことである。
【００２２】
以上のように、本実施形態は、抗菌コーティングを外カバーの上にコーティングして、外カバーでランプを覆い、抗菌コーティングを有するランプユニットを構成する。これにより、このランプユニットを設置した場所では、抗菌コーティングを介して空気中のばい菌の数を減らすことができるとともに、消臭の効果を得ることもできる。この考案は、抗菌コーティングを外カバーの上にコーティングして、抗菌コーティングをランプに直接コーティングしないため、抗菌コーティングを有する外カバーを先に製造してから、外カバーを様々なランプに応用することができ、汎用性を上げることもできる。また、ランプが消耗した時には、ランプを交換するだけでよく、抗菌コーティングを有する外カバーを交換する必要がないため、ランプユニットの交換コストを節約する効果も得られる。この他、上述した抗菌コーティングは、抗菌コーティングと環境中の空気の接触面積をより広くして、ばい菌を除去する効果を上げることのできるナノコーティングであってもよい。
【００２３】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定められなければならない。
【符号の説明】
【００２４】
１００、２００、３００    ランプユニット
１１０、２１０、３１０    ランプ
１２０、２２０、３２０    外カバー
１２０ａ、２２０ａ、３２０ａ    外表面
１２０ｂ    内表面
１３０、２３０、３３０    抗菌コーティング
３１２    座体
３１４    光源
Ａ１、Ａ２、Ａ３    エリア
【図１】
0003188344.tif 000003
【図２】
0003188344.tif 000004
【図３】
0003188344.tif 000005
【図４】
0003188344.tif 000006
【図５】
0003188344.tif 000007
【図６】
0003188344.tif 000008
【図７】
0003188344.tif 000009